【手続補正書】
【提出日】平成16年4月26日(2004.4.26)
【手続補正１】
【補正対象書類名】明細書
【補正対象項目名】発明の名称
【補正方法】変更
【補正の内容】
【発明の名称】ロック解除機構及び該機構を備えた記録及び／又は再生装置
【手続補正２】
【補正対象書類名】明細書
【補正対象項目名】特許請求の範囲
【補正方法】変更
【補正の内容】
【特許請求の範囲】
【請求項１】
第１の支持部材に支持されると共に該第１のの支持部材に対してロック位置とロック解除位置との間を移動されるロック部材と、
第２の支持部材に支持されると共にロック部材をロック解除位置へと移動させるためのロック解除部材とから成り、
上記ロック部材は被係止部を有し、
上記ロック解除部材は、板バネ材料により形成され、ロック部材の被係止部を係止する係合部を有する板状をした主部と該主部に一体に形成され帯状をしたバネ部とを備え、主部の平面が向く向きとバネ部の平面が向く向きとが直交しており、上記主部が第２の支持部材に形成され平面が上記主部の平面と同じ向きを向く板状の支持片にその平面に沿う方向に回動自在に支持されると共にバネ部の先端部が第２の支持部材に設けられた位置規制片によってその位置を規制され、
第１の支持部材と第２の支持部材とが互いに離間する方向に移動する時に、ロック解除部材の係合部とロック部材の被係止部との係合によりロック部材がロック解除方向に移動されると共に上記係合部と被係止部との係合が解除される
ことを特徴とするロック解除機構。
【請求項２】
ロック部材は被係止部を有する主部とバネ部とを有し、該バネ部の主部と反対側に形成された取付部が第１の支持部材に支持され、
上記バネ部が撓むことによって主部がロック解除位置へと移動する
ことを特徴とする請求項１に記載のロック解除機構。
【請求項３】
第１の支持部材に支持されると共に該第１のの支持部材に対してロック位置とロック解除位置との間を移動されるロック部材と、
第２の支持部材に支持されると共にロック部材をロック解除位置へと移動させるためのロック解除部材とから成り、
上記ロック部材は被係止部を有し、
上記ロック解除部材は、板バネ材料により形成され、ロック部材の被係止部を係止する係合部を有する板状をした主部と該主部に一体に形成され帯状をしたバネ部とを備え、主部の平面が向く向きとバネ部の平面が向く向きとが直交しており、上記主部が第２の支持部材に形成され平面が上記主部の平面と同じ向きを向く板状の支持片にその平面に沿う方向に回動自在に支持されると共にバネ部の先端部が第２の支持部材に設けられた位置規制片によってその位置を規制され、
第１の支持部材と第２の支持部材とが互いに離間する方向に移動する時に、ロック解除部材の係合部とロック部材の被係止部との係合によりロック部材がロック解除方向に移動されると共に上記係合部と被係止部との係合が解除されるロック解除機構を備えた記録及び／又は再生装置。
【手続補正３】
【補正対象書類名】明細書
【補正対象項目名】０００１
【補正方法】変更
【補正の内容】
【０００１】
【発明の属する技術分野】
本発明は新規なロック解除機構及び該機構を備えた記録及び／又は再生装置に関する。詳しくは、設置スペースの薄型化を図る技術に関する。


【手続補正４】
【補正対象書類名】明細書
【補正対象項目名】００１７
【補正方法】変更
【補正の内容】
【００１７】
【課題を解決するための手段】
本発明ロック解除機構は、上記した課題を解決するために、第１の支持部材に支持されると共に該第１の支持部材に対してロック位置とロック解除位置との間を移動されるロック部材と、第２の支持部材に支持されると共にロック部材をロック解除位置へと移動させるためのロック解除部材とから成り、上記ロック部材は被係止部を有し、上記ロック解除部材は、板バネ材料により形成され、ロック部材の被係止部を係止する係合部を有する板状をした主部と該主部に一体に形成され帯状をしたバネ部とを備え、主部の平面が向く向きとバネ部の平面が向く向きとが直交しており、上記主部が第２の支持部材に形成され平面が上記主部の平面と同じ向きを向く板状の支持片にその平面に沿う方向に回動自在に支持されると共にバネ部の先端部が第２の支持部材に設けられた位置規制片によってその位置を規制され、第１の支持部材と第２の支持部材とが互いに離間する方向に移動する時に、ロック解除部材の係合部とロック部材の被係止部との係合によりロック部材がロック解除方向に移動されると共に上記係合部と被係止部との係合が解除されるようにしたものである。そして、本発明記録及び／又は再生装置は、このようなロック解除機構を備えたものである。
【手続補正５】
【補正対象書類名】明細書
【補正対象項目名】００１９
【補正方法】変更
【補正の内容】
【００１９】
【発明の実施の形態】
以下に、本発明ロック解除機構及び該機構を備えた記録及び／又は再生装置の実施の形態を添付図面を参照して説明する。


【手続補正６】
【補正対象書類名】明細書
【補正対象項目名】０１１４
【補正方法】変更
【補正の内容】
【０１１４】
【発明の効果】
以上に記載したところから明らかなように、本発明ロック解除機構及び該機構を備えた記録及び／又は再生装置は、第１の支持部材に支持されると共に該第１の支持部材に対してロック位置とロック解除位置との間を移動されるロック部材と、第２の支持部材に支持されると共にロック部材をロック解除位置へと移動させるためのロック解除部材とから成り、上記ロック部材は被係止部を有し、上記ロック解除部材は、板バネ材料により形成され、ロック部材の被係止部を係止する係合部を有する板状をした主部と該主部に一体に形成され帯状をしたバネ部とを備え、主部の平面が向く向きとバネ部の平面が向く向きとが直交しており、上記主部が第２の支持部材に形成され平面が上記主部の平面と同じ向きを向く板状の支持片にその平面に沿う方向に回動自在に支持されると共にバネ部の先端部が第２の支持部材に設けられた位置規制片によってその位置を規制され、第１の支持部材と第２の支持部材とが互いに離間する方向に移動する時に、ロック解除部材の係合部とロック部材の被係止部との係合によりロック部材がロック解除方向に移動されると共に上記係合部と被係止部との係合が解除されることを特徴とする。


【手続補正７】
【補正対象書類名】明細書
【補正対象項目名】図面の簡単な説明
【補正方法】変更
【補正の内容】
【図面の簡単な説明】
【図１】図２乃至図３６と共に本発明ロック解除機構を記録再生装置におけるロック解除機構に適用した実施の形態を示すものであり、本図は記録再生装置の外観を示す斜視図である。
【図２】メカシャーシ及びカートリッジホルダの停止モード時における概略平面図である。
【図３】メカシャーシ及びカートリッジホルダの記録モード時における概略平面図である。
【図４】メカシャーシ及びカートリッジホルダのイジェクト状態を示す概略右側面図である。
【図５】メカシャーシ及びカートリッジホルダの記録モード時における概略右側面図である。
【図６】メカシャーシ及びカートリッジホルダのイジェクト状態を示す概略左側面図である。
【図７】メカシャーシ及びカートリッジホルダの記録モード時における概略左側面図である。
【図８】停止モード時における磁気ヘッド昇降スライダと光学ピックアップを示す概略平面図である。
【図９】記録モード時における磁気ヘッド昇降スライダと光学ピックアップを示す概略平面図である。
【図１０】イジェクト時における磁気ヘッド昇降機構を示す概略左側面図である。
【図１１】停止モードにおける磁気ヘッド昇降機構を示す概略左側面図である。
【図１２】記録モードにおける磁気ヘッド昇降機構を示す概略左側面図である。
【図１３】ディスクカートリッジをカートリッジホルダから排出する部材をロックする機構及び該ロックを解除する機構を示す斜視図である。
【図１４】図１５乃至図２２と共にディスクカートリッジがカートリッジホルダに保持されて装着位置に装着され、さらに、カートリッジホルダから排出されるまでの動作を示す要部の右側面図であり、本図はディスクカートリッジがカートリッジホルダに挿入され始めた状態を示すものである。
【図１５】図１４の状態からディスクカートリッジがさらにカートリッジホルダに挿入された状態を示すものである。
【図１６】完全に挿入され、ディスクカートリッジをカートリッジホルダから排出する部材であるリリーススライダがロックされた状態を示すものである。
【図１７】カートリッジホルダがイジェクト位置から装着位置へと回動して行く途中の状態を示すものである。
【図１８】図１７の状態から更に装着位置に近づいた状態を示すものである。
【図１９】装着位置に達した状態を示すものである。
【図２０】カートリッジホルダがイジェクト位置へ向けて移動を開始し、リリーススライダに対するロックが解除された瞬間を示すものである。
【図２１】図２０の状態に続いてリリーススライダが前方に移動した状態を示すものである。
【図２２】イジェクト位置に到達した状態を示すものである。
【図２３】上カバーを閉蓋位置にロックする機構を示す要部の分解斜視図である。
【図２４】上カバーを閉蓋位置にロックする機構を示す要部の正面図である。
【図２５】上カバーが閉蓋位置へ移動する途中の状態を示す要部の正面図である。
【図２６】上カバーに対する閉蓋位置へのロックが解除された状態を示す要部の正面図である。
【図２７】図２８乃至図３０と共にイジェクト伝達部材と磁気ヘッド昇降スライダの要部を示す平面図であり、本図は停止モードにおける状態を示すものである。
【図２８】イジェクト伝達部材がイジェクトスライダの動きをロックスライダに伝達している状態を示すものである。
【図２９】記録モードにおける状態を示すものである。
【図３０】イジェクト伝達部材がリミッタ機能を果たしている状態を示すものである。
【図３１】磁気ヘッド昇降スライダに取り付けられる前のイジェクト伝達部材を示す平面図である。
【図３２】イジェクト伝達部材の変形例を示す平面図である。
【図３３】イジェクト伝達部材の別の変形例を示す平面図である。
【図３４】イジェクト伝達部材のさらに別の変形例を示す平面図である。
【図３５】上ケースの要部とスイッチユニットを示す分解斜視図である。
【図３６】上ケースの要部とスイッチユニットを示す断面図である。
【図３７】上記記録再生装置において使用される記録及び再生用ディスクカートリッジを上方から見た斜視図である。
【図３８】上記記録再生装置において使用される記録及び再生用ディスクカートリッジを下方から見た斜視図である。
【図３９】図４０乃至図４２と共に従来のロック解除機構の一例を示すものであり、本図は斜視図である。
【図４０】図４２及び図４１と共に動作を説明する側面図であり、本図は第１の支持部材と第２の支持部材とが離間されている状態を示すものである。
【図４１】第１の支持部材と第２の支持部材とが近接した状態を示すものである。
【図４２】第１の支持部材と第２の支持部材とが離間されて行く途中の状態を示すものである。
【符号の説明】
１…記録再生装置、３０…メカシャーシ（第２の支持部材）、３２…支持片、３３…当接片（位置規制片）、６０…カートリッジホルダ（第１の支持部材）、８０…ロック部材、８１…主部、８１ｂ…被係止部、８２…バネ部、８２ａ…取付部、９０…ロック解除部材、９１…主部、９１ｂ…係合縁（係合部）、９２…バネ部